(57)【要約】【課題】  放射導体板の電気長の調整が可能で、周波数調整の可能なアンテナ装置を提供する。【解決手段】  本発明のアンテナ装置は、接地導体１と、この接地導体１と所定の間隔を隔てて配置された金属板からなる放射導体板８とを備え、放射導体板８には、電気長を調整するための調整手段Ｚが設けられたため、組立等の誤差によって、放射導体板８の電気長にずれが生じても、その電気長の補正が可能であると共に、外部機器に接続されて使用される時、外部機器や周囲の環境等からの電気的な影響によって、放射導体板８の電気長に影響を受けても、調整手段Ｚによって放射導体板８の電気長が調整できて、周波数の調整が可能となり、性能の良好なものが得られる。【選択図】        図２
2005184756.tif 000002
【特許請求の範囲】
【請求項１】
接地導体と、この接地導体と所定の間隔を隔てて配置された金属板からなる放射導体板とを備え、前記放射導体板には、電気長を調整するための調整手段が設けられたことを特徴とするアンテナ装置。
【請求項２】
前記調整手段は、前記放射導体板の中心部と外周縁との間に設けられた孔と桟部の組み合わせからなる梯子状部で形成され、前記桟部が切断されることによって電気長を調整するようにしたことを特徴とする請求項１記載のアンテナ装置。
【請求項３】
前記放射導体板は、１つ、又は、２つの給電部を有し、前記梯子状部は、前記放射導体板上に生ずる電界方向の位置に形成されたことを特徴とする請求項２記載のアンテナ装置。
【請求項４】
前記放射導体板は、２つの第１，第２の前記給電部を有し、前記調整手段は、前記第１，又は／及び第２の給電部から前記放射導体板の中心を通って延びる線上に設けられたことを特徴とする請求項３記載のアンテナ装置。
【請求項５】
前記放射導体板は、１つの前記給電部を有し、前記調整手段は、前記給電部から前記放射導体板の中心を通る第１の線に対して、４５度ずれた状態で前記放射導体板の中心を通る第２，又は／及び第３の線上に設けられたことを特徴とする請求項３記載のアンテナ装置。
【請求項６】
前記接地導体と前記放射導体板の間に配置された回路基板を有すると共に、前記放射導体板には、前記回路基板に取り付けられる脚片と、この脚片の先端部に設けられ、前記回路基板を貫通して突出した前記調整手段を形成する延設部を有し、前記延設部を切断することによって電気長を調整するようにしたことを特徴とする請求項１記載のアンテナ装置。
【請求項７】
前記回路基板は、金属板からなる前記接地導体上に載置されると共に、前記放射導体板は、前記放射導体板の中心部を通り、互いに直交する２つの線上に存在する第１，第２の電気長を有し、前記第１，第２の電気長のそれぞれに対応して２個の前記脚片が配設され、前記脚片のそれぞれに設けられた前記延設部が前記接地導体を貫通して突出すると共に、前記接地導体を貫通して突出した前記延設部を切断することによって電気長を調整するようにしたことを特徴とする請求項６記載のアンテナ装置。
【発明の詳細な説明】
【技術分野】
【０００１】
本発明はＧＰＳアンテナ等に使用して好適なパッチ型のアンテナ装置に関する。
【背景技術】
【０００２】
従来のアンテナ装置の図面を説明すると、図２８は従来のアンテナ装置の平面図、図２９は従来のアンテナ装置の要部断面図である。
【０００３】
次に、従来のアンテナ装置の構成を図２８，図２９に基づいて説明すると、絶縁基板５１の上面にパターニングされた接地導体５２と、この接地導体５２上に所定の間隔を隔てて平行に配置された金属板からなる放射導体板５３と、接地導体５２上に立設された誘電体材料からなる４本の支持部材５４を有する。
【０００４】
また、放射導体板５３は、正方形状を有して、その４隅が支持部材５４によって支持されており、また、放射導体板５３には、導電線からなる給電部５５が接続され、この給電部５５が接地導体５２と絶縁基板５１を貫通する孔５６に挿通されて、ここは図示しないアンテナ回路に接続されている。（例えば、特許文献１参照）
【０００５】
しかし、このような従来のアンテナ装置は、組立等の誤差によって、放射導体板５３の電気長にずれが生じても、その補正ができないばかりか、外部機器に接続されて使用される時、外部機器や周囲の環境等からの電気的な影響によって、放射導体板５３の電気長が影響を受けて、放射導体板５３の電気長が変化して、周波数（ｆ０）のズレを生じる。
【０００６】
【特許文献１】特開２００２−２３７７１４号公報
【発明の開示】
【発明が解決しようとする課題】
【０００７】
従来のアンテナ装置は、組立等の誤差によって、放射導体板５３の電気長にずれが生じても、その補正ができないばかりか、外部機器に接続されて使用される時、外部機器や周囲の環境等からの電気的な影響によって、放射導体板５３の電気長が影響を受けて、放射導体板５３の電気長が変化して、周波数のズレを生じるという問題がある。
【０００８】
そこで、本発明は放射導体板の電気長の調整が可能で、周波数調整の可能なアンテナ装置を提供することを目的とする。
【課題を解決するための手段】
【０００９】
上記課題を解決するための第１の解決手段として、接地導体と、この接地導体と所定の間隔を隔てて配置された金属板からなる放射導体板とを備え、前記放射導体板には、電気長を調整するための調整手段が設けられた構成とした。
【００１０】
また、第２の解決手段として、前記調整手段は、前記放射導体板の中心部と外周縁との間に設けられた孔と桟部の組み合わせからなる梯子状部で形成され、前記桟部が切断されることによって電気長を調整するようにした構成とした。
また、第３の解決手段として、前記放射導体板は、１つ、又は、２つの給電部を有し、前記梯子状部は、前記放射導体板上に生ずる電界方向の位置に形成された構成とした。
【００１１】
また、第４の解決手段として、前記放射導体板は、２つの第１，第２の前記給電部を有し、前記調整手段は、前記第１，又は／及び第２の給電部から前記放射導体板の中心を通って延びる線上に設けられた構成とした。
【００１２】
また、第５の解決手段として、前記放射導体板は、１つの前記給電部を有し、前記調整手段は、前記給電部から前記放射導体板の中心を通る第１の線に対して、４５度ずれた状態で前記放射導体板の中心を通る第２，又は／及び第３の線上に設けられた構成とした。
【００１３】
また、第６の解決手段として、前記接地導体と前記放射導体板の間に配置された回路基板を有すると共に、前記放射導体板には、前記回路基板に取り付けられる脚片と、この脚片の先端部に設けられ、前記回路基板を貫通して突出した前記調整手段を形成する延設部を有し、前記延設部を切断することによって電気長を調整するようにした構成とした。
【００１４】
また、第７の解決手段として、前記回路基板は、金属板からなる前記接地導体上に載置されると共に、前記放射導体板は、前記放射導体板の中心部を通り、互いに直交する２つの線上に存在する第１，第２の電気長を有し、前記第１，第２の電気長のそれぞれに対応して２個の前記脚片が配設され、前記脚片のそれぞれに設けられた前記延設部が前記接地導体を貫通して突出すると共に、前記接地導体を貫通して突出した前記延設部を切断することによって電気長を調整するようにした構成とした。
【発明の効果】
【００１５】
本発明のアンテナ装置は、接地導体と、この接地導体と所定の間隔を隔てて配置された金属板からなる放射導体板とを備え、放射導体板には、電気長を調整するための調整手段が設けられた構成とした。
このように、放射導体板に電気長を調整するための調整手段が設けられると、組立等の誤差によって、放射導体板の電気長にずれが生じても、その電気長の補正が可能であると共に、外部機器に接続されて使用される時、外部機器や周囲の環境等からの電気的な影響によって、放射導体板の電気長に影響を受けても、調整手段によって放射導体板の電気長が調整できて、周波数の調整が可能となり、性能の良好なものが得られる。
【００１６】
また、調整手段は、放射導体板の中心部と外周縁との間に設けられた孔と桟部の組み合わせからなる梯子状部で形成され、桟部が切断されることによって電気長を調整するようにしたため、その構成が簡単で、生産性の良好なものが得られる。
【００１７】
また、放射導体板は、１つ、又は、２つの給電部を有し、梯子状部は、放射導体板上に生ずる電界方向の位置に形成されたため、電気的な影響の大きな位置での調整が出来て、調整効果の良好なものが得られる。
【００１８】
また、放射導体板は、２つの第１，第２の給電部を有し、調整手段は、第１，又は／及び第２の給電部から放射導体板の中心を通って延びる線上に設けられたため、調整手段の形成が容易であると共に、電気的な影響の大きな位置での調整が出来て、調整効果の良好なものが得られる。
【００１９】
また、放射導体板は、１つの給電部を有し、調整手段は、給電部から放射導体板の中心を通る第１の線に対して、４５度ずれた状態で放射導体板の中心を通る第２，又は／及び第３の線上に設けられたたあめ、調整手段の形成が容易であると共に、電気的な影響の大きな位置での調整が出来て、調整効果の良好なものが得られる。
【００２０】
また、接地導体と放射導体板の間に配置された回路基板を有すると共に、放射導体板には、回路基板に取り付けられる脚片と、この脚片の先端部に設けられ、回路基板を貫通して突出した調整手段を形成する延設部を有し、延設部を切断することによって電気長を調整するようにしたため、電気長の調整は、延設部の先端部を切断すれば良く、その調整が容易であると共に、放射導体板が回路基板に取り付けられるため、その取付が安定し、且つ、放射導体板の構成がシンプルとなって、生産性の良好なものが得られる。
【００２１】
また、回路基板は、金属板からなる接地導体上に載置されると共に、放射導体板は、放射導体板の中心部を通り、互いに直交する２つの線上に存在する第１，第２の電気長を有し、第１，第２の電気長のそれぞれに対応して２個の脚片が配設され、脚片のそれぞれに設けられた延設部が接地導体を貫通して突出すると共に、接地導体を貫通して突出した延設部を切断することによって電気長を調整するようにしたため、第１，第２の電気長のそれぞれが延設部の先端部を切断することによって調整できて、その調整が容易であると共に、放射導体板の構成がシンプルとなって、生産性の良好なものが得られる。
【発明を実施するための最良の形態】
【００２２】
本発明のアンテナ装置の図面を説明すると、図１は本発明のアンテナ装置の第１実施例に係る平面図、図２は本発明のアンテナ装置の第１実施例に係り、カバーを取り去った状態の平面図、図３は図１の３−３線における断面図、図４は図１の４−４線における断面図、図５は本発明のアンテナ装置の第１実施例に係る分解斜視図である。
【００２３】
また、図６は本発明のアンテナ装置の第１実施例に係る接地導体板の平面図、図７は本発明のアンテナ装置の第１実施例に係る接地導体板の斜視図、図８は本発明のアンテナ装置の第１実施例に係る回路基板の平面図、図９は本発明のアンテナ装置の第１実施例に係る放射導体板の平面図、図１０は本発明のアンテナ装置の第１実施例に係る放射導体板の正面図、図１１は本発明のアンテナ装置の第１実施例に係る放射導体板の下面図である。
【００２４】
また、図１２は本発明のアンテナ装置の第１実施例に係るカバーの平面図、図１３は本発明のアンテナ装置の第１実施例に係るカバーの左側面図、図１４は本発明のアンテナ装置の第１実施例に係るカバーの要部断面図、図１５は本発明のアンテナ装置の第１実施例に係るカバーの下面図である。
【００２５】
また、図１６は本発明のアンテナ装置の第１実施例に係り、放射導体板の回路基板への取付方法の第１工程を示す説明図、図１７は本発明のアンテナ装置の第１実施例に係り、放射導体板の回路基板への取付方法の第２工程を示す説明図、図１８は本発明のアンテナ装置の第１実施例に係り、放射導体板の回路基板への取付方法の第３工程を示す説明図、図１９は本発明のアンテナ装置の第１実施例に係り、放射導体板の回路基板への取付が完了した状態を示す斜視図である。
【００２６】
また、図２０は本発明のアンテナ装置の第１実施例に係り、ケーブルの接地導体板への取付方法を示す説明図、図２１は本発明のアンテナ装置の第１実施例に係り、ケーブルの接地導体板への取付が完了した状態を示す斜視図である。
【００２７】
また、図２２は本発明のアンテナ装置の第２実施例に係り、カバーを取り去った状態の平面図、図２３は本発明のアンテナ装置の第２実施例に係る回路基板の平面図、図２４は本発明のアンテナ装置の第３実施例に係り、カバーを取り去った状態の平面図、図２５は本発明のアンテナ装置の第３実施例に係る回路基板の平面図、図２６は本発明のアンテナ装置の第４実施例に係る放射導体板の平面図、図２７は本発明のアンテナ装置の第５実施例に係る要部断面図である。
【００２８】
次に、本発明のアンテナ装置の第１実施例の構成を図１〜図２１に基づいて説明すると、接地導体である金属板からなる接地導体板１は、特に図６，図７に示すように、四方の位置で、上方に向かってアーチ状に切り起こされた複数の掛け止め部１ａと、この掛け止め部１ａに隣接して設けられた孔１ｂと、２つの掛け止め部１ａ間の位置で、上方に向かってアーチ状に切り起こされた複数の止め部１ｃと、止め部１ｃの頂部近傍に設けられた貫通孔からなる切り欠き部１ｄと、止め部１ｃの下部に設けられた挿通部１ｅを有する。
【００２９】
また、接地導体板１は、上方に向かって折り曲げられた複数の折り曲げ片１ｆと、この折り曲げ片１ｆに隣接した位置を含む複数の箇所に設けられた逃げ孔１ｇを有する。
【００３０】
四角形をなした回路基板２は、特に図８に示すように、絶縁板からなる誘電体基板３と、この誘電体基板３に設けられた配線パターン４と、誘電体基板３の四隅部分に設けられた複数の第１、第２，第３，第４の電極５ａ、５ｂ、５ｃ、５ｄを有する。
【００３１】
また、斜向かいに位置する第１，第２の電極５ａと５ｂ、及び第３，第４の電極５ｃと５ｄは、互いにその面積が等しく形成されているが、第１，第２の電極５ａ、５ｂは、第３，第４の電極５ｃ、５ｄよりも面積が小さくなっている。
【００３２】
更に、誘電体基板３は、第１〜第４の電極５ａ〜５ｄの位置に設けられた貫通孔からなる複数の貫通部３ａと、外周縁の近傍に設けられた複数の第１の孔３ｂと、中央部に設けられた複数の第２の孔３ｃを有する。
【００３３】
そして、回路基板２には、背の低いチップ型コンデンサ等や背の高い誘電体フイルタ６ａ等を含む電子部品６が搭載されて、マッチング回路、フイルタ回路、増幅回路等からなる所望の電気回路が形成されている。
また、誘電体フイルタ６ａ等からなる背の高い電子部品６は、回路基板２の外周縁近傍に配置された状態となっている。
【００３４】
このような回路基板２は、特に図３，図５に示すように、折り曲げ片１ｆが第１の孔３ｂに挿通された状態で、回路基板２の下面が接地導体板１上に載置されて、折り曲げ片１ｆが配線パターン４に半田付けされて、回路基板２が折り曲げ片１ｆによって支持されている。
【００３５】
この時、折り曲げ片１ｆは、第１の孔３ｂから貫通して、先端部が上方に突出すると共に、回路基板２の貫通部３ａと第２の孔３ｃの下部は、接地導体板１の逃げ孔１ｇが位置して、接地導体板１から逃げた状態となっている。
また、回路基板２が接地導体板１上に取り付けられた際、第１〜第４の電極５ａ〜５ｄは、誘電体基板３を挟んで接地用導体板１と対向して、それぞれコンデンサが形成された状態となる。
【００３６】
同軸型のケーブル７は、中心導体７ａと、この中心導体７ａの外側を覆うように絶縁被覆部を介して設けられた網目状の外部導体７ｂを有し、このケーブル７の取付は、先ず、図２０に示すように、止め部１ｃの挿通部１ｅ内には、ケーブル７の先端部を挿通して、図２１に示すような状態にする。
【００３７】
そして、この図２１の状態で、中心導体７ａを配線パターン４に半田付けすると共に、切り欠き部１ｄの位置で、外部導体７ｂと止め部１ｃが半田付けされて、ケーブル７は、止め部１ｃによって支持された構成となっている。
【００３８】
金属板からなる八角形状の放射導体板８は、特に図９〜図１１に示すように、互いに直角をなす位置で、下方に切り曲げされた折り曲げ片からなる２つの第１，第２の給電部９ａ、９ｂと、第１の給電部９ａと中心Ｃを通る線Ｓ１上、及び第２の給電部９ｂと中心Ｃを通る線Ｓ２上に設けられた電気長を調整するための調整手段Ｚを有する。
【００３９】
そして、放射導体板８における電界方向は、線Ｓ１とＳ２の方向となると共に、この線Ｓ１方向に発生する第１の電気長と、線Ｓ２方向に発生する第２の電気長が存在する。
また、調整手段Ｚは、電界方向である線Ｓ１，Ｓ２の位置に設けられると共に、放射導体板８の中央部を除く箇所で、中央部と外周縁との間に設けられている。
【００４０】
更に、調整手段Ｚは、第１，第２の給電部９ａ、９ｂから中心Ｃを越えた反対側に設けられると共に、孔１０ａと桟部１０ｂの組み合わせからなる梯子状部で形成され、桟部１０ａの切断によって電気長が長くなるように調整できる。
【００４１】
また、放射導体板８は、中心Ｃを通り、互いに直交する線Ｓ３，Ｓ４上に位置する一対の第１、第２の対向辺１１ａ、１１ｂと、中心部を除く箇所で、線Ｓ３，Ｓ４上の第１，第２の対向辺１１ａ、１１ｂまでの間に設けられた４個の脚片１２ａ、１２ｂ、１２ｃ、１２ｄを有する。
【００４２】
この４個の脚片１２ａ〜１２ｄは、中心Ｃからの距離が等しい位置で、下方に折り曲げられて形成されると共に、第１，第２の対向辺１１ａ、１１ｂよりも中心Ｃ寄りの位置に設けられている。
また、放射導体板８の電界強度は、線Ｓ１，Ｓ２上の外周部における箇所が強い状態となっているが、脚片１２ａ〜１２ｄは、線Ｓ１，Ｓ２から離れて電界強度が比較的弱い箇所に設けられた状態となっている。
【００４３】
また、脚片１２ａ〜１２ｄのそれぞれの端部には、最下部に位置する第１の係止片１３ａと、この第１の係止片１３ａから間隔を持って設けられた第２の係止片１３ｂとから成る係止部１３が設けられている。
そして、この第１，第２の係止片１３ａ、１３ｂは、それぞれの脚片１２ａ〜１２ｄを中心として互いに反対方向に曲げられた折り曲げ部で形成されている。
【００４４】
このような構成を有する放射導体板８の取付は、先ず、図１６に示すように、回路基板２上に放射導体板８を配置した状態で、脚片１２ａ〜１２ｄのバネ性に抗して、脚片１２ａ〜１２ｄのそれぞれを内方に撓ませる。
次に、図１７に示すように、第１，第２の給電部９ａ、９ｂの先端の凸部を第２の孔３ｃに嵌合すると共に、脚片１２ａ〜１２ｄの係止部１３をそれぞれ貫通部３ａに挿通する。
【００４５】
しかる後、図１８に示すように、脚片１２ａ〜１２ｄの内方への撓み力を解除すると、脚片１２ａ〜１２ｄ自体のバネ性によって、脚片１２ａ〜１２ｄは元の状態に戻って、第１の係止片１３ａが回路基板２の裏面に係止すると共に、第２の係止片１３ｂが回路基板２の上面に係止して、図１９に示すように、放射導体板８が回路基板２に仮止めされた状態となる。
【００４６】
そして、脚片１２ａ〜１２ｄのそれぞれが個々の第１〜第４の電極５ａ〜５ｄに半田付けして接続されると共に、第１，第２の給電部９ａ，９ｂが第３の孔３ｃの周辺に設けられた配線パターン４に半田付けされており、回路基板２と放射導体板８とで、アンテナ本体部Ｈが形成されている。
この時、脚片１２ａ〜１２ｄ  と第１，第２の給電部９ａ，９ｂは、逃げ孔１ｇによって接地導体板１と導通しないようになっている。
【００４７】
このようにして回路基板２に取り付けられた放射導体板８は、接地導体板１と回路基板２に所定の間隔を隔てて平行な状態で配置されると共に、放射導体板８の第１の電気長は、線Ｓ１上の放射導体板８の長さと、電極５ａ、５ｂによるコンデンサの容量の大きさで決められ、また、放射導体板８の第２の電気長は、線Ｓ２上の放射導体板８の長さと、電極５ｃ、５ｄによるコンデンサの容量の大きさで決められる。
【００４８】
この第１実施例では、線Ｓ１上の放射導体板８の長さと線Ｓ２上の放射導体板８の長さは、等しくなっているが、電極５ａ、５ｂで形成される容量は、電極５ｃ、５ｄで形成される容量より小さくなっているため、第１の電気長は、第２の電気長よりも小さく、両者には電気長の差が生じているため、円編波型のアンテナ装置が得られるようになっている。
【００４９】
また、放射導体板８が取り付けられた際、下部全体には、放射導体板８より面積の大きな接地導体板１が存在すると共に、放射導体板８と接地導体板１との間には、放射導体板８の平面領域内に回路基板２が位置した状態となっている。
更に、放射導体板８が取り付けられた際、掛け止め部１ａと止め部１ｃ、及び背の高い電子部品６ａの上面は、放射導体板８の周縁部の近傍に対向して配置されると共に、折り曲げ部１ｆの先端部が放射導体板８に対向して配置され、掛け止め部１ａ、止め部１ｃ、背の高い電子部品６ａ、及び折り曲げ部１ｆと放射導電体８との間には、容量が生じるようになっている。
【００５０】
更に又、放射導体板８が取り付けられた際、掛け止め部１ａと止め部１ｃは、放射導体部８の外周縁に沿って配置されており、これによって、掛け止め部１ａと止め部１ｃが放射導体板８の中心Ｃ寄りに形成できて、アンテナ装置の小型化が図れる。
また、線Ｓ１，Ｓ２上の放射導体板８の長さと、第１〜第４の電極５ａ〜５ｄの容量や、掛け止め部１ａ、止め部１ｃ、背の高い電子部品６ａ、及び折り曲げ部１ｆと放射導電体８との間の容量を設けることによって、周波数を低くできて、アンテナ装置の小型化が図れる。
【００５１】
絶縁材の成型品からなるコップ状のカバー１４は、特に図１２〜図１５に示すように、八角形状の上壁１４ａと、上壁１４ａの八辺から下方に延びる８つの側壁１４ｂと、上壁１４ａと側壁１４ｂで囲まれた収納部１４ｃと、一つの側壁１４ｂの下部に設けられた凹部１４ｄと、一つ置きの側壁１４ｂの下部の内面側に設けられた鈎状の係止部１４ｅと、この係止部１４ｅが位置する側壁１４ｂの下部から下方に突出する凸部１４ｆを有する。
【００５２】
このカバー１４は、放射導体部８と回路基板２からなるアンテナ本体部Ｈの全体を収納部１４ｃ内に収納すると共に、係止部１４ｅを掛け止め部１ａに合わせた状態で、下方（接地導体板１側）に押し込むと、係止部１４ｅが掛け止め部１ａの下部にスナップ止めによって係止されて、カバー１４が接地導体板１に取り付けられる。
【００５３】
この時、側壁１４ｂの下部に設けられた凸部１４ｆは、掛け止め部１ａに隣接した孔１ｂに嵌入すると共に、凹部１４ｄ内には、ケーブル７が位置して、ケーブル７を押さえるようになっている。
封止シート１５は、片面に粘着材が設けられたラベル等で形成され、この封止シート１５は、接地導体板１の裏面側に貼着されて、逃げ孔１ｇを塞ぐようになっている。
このような構成によって、本発明のアンテナ装置の第１実施例が形成されている。
【００５４】
また、図２２，図２３は本発明のアンテナ装置の第２実施例を示し、この第２実施例の構成を説明すると、この第２実施例の放射導体板８は、中心Ｃを通る線Ｓ２上に設けられた１つの折り曲げ片からなる１つの給電部９ｂを有する。
そして、この放射導体板８は、線Ｓ２に対して４５度ずれた状態で、中心Ｃを通る線Ｓ３，Ｓ４方向が電界方向となると共に、この線Ｓ３方向に発生する第１の電気長と、線Ｓ４方向に発生する第２の電気長が存在する。
【００５５】
また、調整手段Ｚは、電界方向である線Ｓ３，Ｓ４の位置に設けられると共に、放射導体板８の中央部を除く箇所で、中央部と外周縁との間に設けられ、梯子状部で形成された調整手段Ｚの桟部１０ａの切断によって電気長が長くなるように調整できる。
【００５６】
また、放射導体板８は、中心Ｃを通り、互いに直交する線Ｓ３，Ｓ４上に位置する一対の第１、第２の対向辺１１ａ、１１ｂと、中心部を除く箇所で、線Ｓ３，Ｓ４上の第１，第２の対向辺１１ａ、１１ｂまでの間に設けられた４個の脚片１２ａ、１２ｂ、１２ｃ、１２ｄを有する。
【００５７】
この４個の脚片１２ａ〜１２ｄは、中心Ｃからの距離が等しい位置で、下方に折り曲げられて形成されると共に、第１，第２の対向辺１１ａ、１１ｂよりも中心Ｃ寄りの位置に設けられている。
また、放射導体板８の電界強度は、線Ｓ３，Ｓ４上の外周部における箇所が強い状態となっており、従って、脚片１２ａ〜１２ｄは、線Ｓ３，Ｓ４上に位置した電界強度の強い箇所に設けられた状態となっている。
【００５８】
また、脚片１２ａ〜１２ｄが接続される第１〜第４の電極５ａ〜５ｄは、面積が異なることから第１，第２の電気長は、互いに電気長の差が生じているため、円編波型のアンテナ装置が得られるようになっている。
その他の構成は、上記第１実施例と同様であり、同一部品に同一番号を付して、ここではその説明を省略する。
【００５９】
また、図２４，図２５は本発明のアンテナ装置の第３実施例を示し、この第３実施例は、線Ｓ３上と線Ｓ４上の放射導体板８の長さが等しく、且つ、第１〜第４の電極５ａ〜５ｄの面積が等しくなっており、従って、第１，第２の電気長は、互いに等しいため、直線編波型のアンテナ装置が得られるようになっている。
その他の構成は、上記第２実施例と同様であり、同一部品に同一番号を付して、ここではその説明を省略する。
【００６０】
また、図２６は本発明のアンテナ装置の第４実施例を示し、この第４実施例は、放射導体板８の第１，第２の対向辺１１ａ、１１ｂに沿って脚片１２ａ〜１２ｄが設けられたものである。
その他の構成は、上記第１実施例と同様であり、同一部品に同一番号を付して、ここではその説明を省略する。
【００６１】
また、図２７は本発明のアンテナ装置の第５実施例を示し、この第５実施例について説明すると、放射導体板８は、例えば、図２２に示すように、中心Ｃを通り、互いに直交する線Ｓ３，Ｓ４上に第１，第２の電気長が存在すると共に、その線Ｓ３，Ｓ４上のそれぞれには、脚片１２ａ、１２ｂ、１２ｃ、１２ｄが設けられ、且つ、この脚片１２ａ、１２ｂ、１２ｃ、１２ｄの先端部には、図２７に示すように、調整手段Ｚを形成するための延設部１２ｅが設けられている。
【００６２】
また、回路基板２に設けられた第１の電極５ａ〜第４の電極５ｄは、この実施例では削除された状態にあって、脚片１２ａ〜１２ｄが回路基板２の貫通部３ａに掛け止め、或いは圧入、又は接着剤によって回路基板２に取り付けられると共に、延設部１２ｅは、回路基板２，接地導体板１，及び封止シート１５を貫通して、下部側に突出して配置されており、そして、突出した延設部１２ｅの先端部が切断されることによって、第１，第２の電気長の調整を行うようになっている。
【００６３】
この場合、調整手段Ｚを形成するための延設部１２ｅは、放射導体板８に設けられた孔１０ａと桟部１０ｂの組み合わせからなる梯子状部で形成された調整手段Ｚと併用されても良く、また、延設部１２ｅによる単独の調整手段Ｚでも良い。
その他の構成は、上記第２実施例と同様であり、同一部品に同一番号を付して、ここではその説明を省略する。
【図面の簡単な説明】
【００６４】
【図１】本発明のアンテナ装置の第１実施例に係る平面図。
【図２】本発明のアンテナ装置の第１実施例に係り、カバーを取り去った状態の平面図。
【図３】図１の３−３線における断面図。
【図４】図１の４−４線における断面図。
【図５】本発明のアンテナ装置の第１実施例に係る分解斜視図。
【図６】本発明のアンテナ装置の第１実施例に係る接地導体板の平面図。
【図７】本発明のアンテナ装置の第１実施例に係る接地導体板の斜視図。
【図８】本発明のアンテナ装置の第１実施例に係る回路基板の平面図。
【図９】本発明のアンテナ装置の第１実施例に係る放射導体板の平面図。
【図１０】本発明のアンテナ装置の第１実施例に係る放射導体板の正面図。
【図１１】本発明のアンテナ装置の第１実施例に係る放射導体板の下面図。
【図１２】本発明のアンテナ装置の第１実施例に係るカバーの平面図。
【図１３】本発明のアンテナ装置の第１実施例に係るカバーの左側面図。
【図１４】本発明のアンテナ装置の第１実施例に係るカバーの要部断面図。
【図１５】本発明のアンテナ装置の第１実施例に係るカバーの下面図。
【図１６】本発明のアンテナ装置の第１実施例に係り、放射導体板の回路基板への取付方法の第１工程を示す説明図。
【図１７】本発明のアンテナ装置の第１実施例に係り、放射導体板の回路基板への取付方法の第２工程を示す説明図。
【図１８】本発明のアンテナ装置の第１実施例に係り、放射導体板の回路基板への取付方法の第３工程を示す説明図。
【図１９】本発明のアンテナ装置の第１実施例に係り、放射導体板の回路基板への取付が完了した状態を示す斜視図。
【図２０】本発明のアンテナ装置の第１実施例に係り、ケーブルの接地導体板への取付方法を示す説明図。
【図２１】本発明のアンテナ装置の第１実施例に係り、ケーブルの接地導体板への取付が完了した状態を示す斜視図。
【図２２】本発明のアンテナ装置の第２実施例に係り、カバーを取り去った状態の平面図。
【図２３】本発明のアンテナ装置の第２実施例に係る回路基板の平面図。
【図２４】本発明のアンテナ装置の第３実施例に係り、カバーを取り去った状態の平面図。
【図２５】本発明のアンテナ装置の第３実施例に係る回路基板の平面図。
【図２６】本発明のアンテナ装置の第４実施例に係る放射導体板の平面図。
【図２７】本発明のアンテナ装置の第５実施例に係る要部断面図。
【図２８】従来のアンテナ装置の平面図。
【図２９】従来のアンテナ装置の要部断面図。
【符号の説明】
【００６５】
１：接地導体板（接地導体）
１ａ：掛け止め部
１ｂ：孔
１ｃ：止め部
１ｄ：切り欠き部
１ｅ：挿通部
１ｆ：折り曲げ片
１ｇ：逃げ部
２：回路基板
３：誘電体基板
３ａ：貫通部
３ｂ：第１の孔
３ｃ：第２の孔
４：配線パターン
５ａ：第１の電極
５ｂ：第２の電極
５ｃ：第３の電極
５ｄ：第４の電極
６：電子部品
６ａ：背の高い電子部品（誘電体フイルタ）
７：ケーブル
７ａ：中心導体
７ｂ：外部導体
８：放射導体板
９ａ：第１の給電部
９ｂ：第２の給電部
Ｚ：調整手段
１０ａ：孔
１０ｂ：桟部
１１ａ：第１の対向辺
１１ｂ：第２の対向辺
１２ａ：脚片
１２ｂ：脚片
１２ｃ：脚片
１２ｄ：脚片
１２ｅ：延設部
１３：係止部
１３ａ：第１の係止片
１３ｂ：第２の係止片
１４：カバー
１４ａ：上壁
１４ｂ：側壁
１４ｃ：収納部
１４ｄ：凹部
１４ｅ：係止部
１４ｆ：凸部
１５：封止シート
Ｃ：中心
Ｈ：アンテナ本体部
Ｓ１：線
Ｓ２：線
Ｓ３：線
Ｓ４：線
【図１】
2005184756.tif 000003
【図２】
2005184756.tif 000004
【図３】
2005184756.tif 000005
【図４】
2005184756.tif 000006
【図５】
2005184756.tif 000007
【図６】
2005184756.tif 000008
【図７】
2005184756.tif 000009
【図８】
2005184756.tif 000010
【図９】
2005184756.tif 000011
【図１０】
2005184756.tif 000012
【図１１】
2005184756.tif 000013
【図１２】
2005184756.tif 000014
【図１３】
2005184756.tif 000015
【図１４】
2005184756.tif 000016
【図１５】
2005184756.tif 000017
【図１６】
2005184756.tif 000018
【図１７】
2005184756.tif 000019
【図１８】
2005184756.tif 000020
【図１９】
2005184756.tif 000021
【図２０】
2005184756.tif 000022
【図２１】
2005184756.tif 000023
【図２２】
2005184756.tif 000024
【図２３】
2005184756.tif 000025
【図２４】
2005184756.tif 000026
【図２５】
2005184756.tif 000027
【図２６】
2005184756.tif 000028
【図２７】
2005184756.tif 000029
【図２８】
2005184756.tif 000030
【図２９】
2005184756.tif 000031